(57)【要約】      （修正有）【課題】物品を紐で梱包する際に使用する結束具において、繰り返しの使用が可能で、縛り目の形成を必要とせず、容易に、且つ確実に物品を結束することができる梱包用結束具を提供する。【解決手段】梱包用結束具１は、矩形平板状の結束具本体２と、結束具本体に形成された、紐を挿入する結束部１０とで構成される梱包用結束具であって、結束部は、結束具本体の周囲に形成された挿入部１１と、挿入部に連設された挿通部１２と、挿通部の先端に形成された紐保持部１３とで構成され、結束部は、結束具本体に少なくとも４箇所以上形成されることを特徴とする。また結束部の挿通部は、紐保持部へ向かうにつれて先細のテーパー状に形成されている。また結束具本体は、合成樹脂や紙製にて形成されている。【選択図】図１
0003187015.tif 000002
【実用新案登録請求の範囲】
【請求項１】
矩形平板状の結束具本体と、結束具本体に形成された、紐が挿入される結束部とで構成される梱包用結束具であって、結束部は、結束具本体の周囲に形成された挿入部と、挿入部に連設された挿通部と、挿通部の先端に形成された紐保持部とで構成され、前記結束部は、前記結束具本体に少なくとも４箇所以上形成されていることを特徴とする梱包用結束具。
【請求項２】
前記結束部の挿通部は、紐保持部へ向かうにつれて先細のテーパー状に形成されている請求項１記載の梱包用結束具。
【請求項３】
前記結束部は、結束具本体の一側面に４箇所、対向する他側面に２箇所形成されている請求項１または２記載の梱包用結束具。
【請求項４】
前記結束部において、一箇所の結束部の紐保持部を大径に形成した請求項１乃至３のうちいずれか１項に記載の梱包用結束具。
【請求項５】
前記結束具本体の結束部が形成されていない側面に、切込部を施した請求項１乃至４のうちいずれか１項に記載の梱包用結束具。
【請求項６】
前記結束具本体を合成樹脂にて形成した請求項１乃至５のうちいずれか１項に記載の梱包用結束具。
【請求項７】
前記結束具本体を紙製にて形成した請求項１乃至５のうちいずれか１項に記載の梱包用結束具。
【考案の詳細な説明】
【技術分野】
【０００１】  本考案は、物品を紐で梱包する際に使用する結束具において、特に、繰り返しの使用が可能であり、且つ、縛り目を必要としない梱包用結束具に関する。
【背景技術】
【０００２】  一般的に、荷物や古雑誌等の物品を梱包する際、強度を有する紐を掛け、紐の交わり箇所を結ぶことにより、複数の物品を一体的に梱包することができる。しかしながら、紐だけで物品を梱包すると緩みが発生し、運搬の際に紐から物品が落下してしまうことがあった。
【先行技術文献】
【特許文献】
【０００３】  そのため従来技術として、新聞紙や雑誌類を紐で縛るとき、簡単に結束できる結束具がある（例えば特許文献１参照）。
上掲特許文献１の結束具は、合成樹脂材料の成形にて、環状のフレームから内側に向けて突き出たアームを設け、前記アームの根元のフレームの表面に、凸形状のストッパーを設け、さらにストッパーの隣のフレームの表面に、凹凸のブレーキを設けたことを特徴としている。
【特許文献１】  特開平１１−１１４４３号公報
【考案の概要】
【考案が解決しようとする課題】
【０００４】  しかしながら、上掲特許文献１の結束具は、結束具で物品を結束する際、紐でアームを結び止めなければならず、多くの手間を必要とした。またアームの表面に凸形状のストッパーを設けなければならず、製造の際のコストアップに繋がるという問題も生じた。【０００５】  そこで本考案は上記の点に鑑み、物品を紐で梱包する際に使用する結束具において、繰り返しの使用が可能で、縛り目の形成を必要とせず、容易に、且つ確実に物品を結束することができる梱包用結束具を提供することにある。
【解決を解決するための手段】
【０００６】  上記課題を解決するため、矩形平板状の結束具本体と、結束具本体に形成された、紐が挿入される結束部とで構成される梱包用結束具であって、結束部は、結束具本体の周囲に形成された挿入部と、挿入部に連設された挿通部と、挿通部の先端に形成された紐保持部とで構成され、前記結束部は、前記結束具本体に少なくとも４箇所以上形成されていることを特徴とする。
【０００７】  また前記結束部の挿通部は、紐保持部へ向かうにつれて先細のテーパー状に形成されている。
【０００８】  また前記結束部は、結束具本体の一側面に４箇所、対向する他側面に２箇所形成されている。
【０００９】  また前記結束部において、一箇所の結束部の紐保持部を大径に形成した。
【００１０】  また、前記結束具本体の結束部が形成されていない側面に切込部を施した。
【００１１】  また前記結束具本体を合成樹脂にて形成した。
【００１２】  さらに、前記結束具本体を紙製にて形成してもよい。
【考案の効果】
【００１３】  結束部は、結束具本体の周囲に形成された挿入部と、挿入部に連設された挿通部と、挿通部の先端に形成された紐保持部とで構成され、結束部は、前記結束具本体に少なくとも４箇所以上形成されており、結束部の挿通部は、紐保持部へ向かうにつれて先細のテーパー状とされていることにより、物品を紐で梱包する際、紐の挿入が容易になるとともに、紐の保持力が高まり、結束の際の縛り目の形成を必要としない。
【００１４】  また前記結束具本体を合成樹脂にて形成することで、繰り返しの使用が可能であり、また結束具本体を紙製にて形成した場合、紐と一緒に廃棄することができる。
【図面の簡単な説明】
【００１５】
【図１】本考案の梱包用結束具の全体図である。
【図２】前記梱包用結束具の結束状態の第一結束工程の正面図である。
【図３】前記梱包用結束具の結束状態の第二結束工程の正面図である。
【図４】前記梱包用結束具の結束状態の第三結束工程の正面図である。
【図５】前記梱包用結束具の結束状態の第四結束工程の正面図である。
【図６】本考案の梱包用結束具の結束状態の全体斜視図である。
【考案を実施するための形態】
【００１６】  以下、本考案の梱包用結束具における実施の形態を図面に基づいて説明する。
本考案の梱包用結束具は、繰り返しの使用が可能で、縛り目の形成を必要とせず、容易に、且つ確実に物品を結束することを特徴とする。
【００１７】  図１の（ａ），（ｂ）に示す梱包用結束具１は、矩形平板状の結束具本体２と、結束具本体２に複数形成された結束部１０とで構成されている。
【００１８】  結束具本体２は、矩形の平板状を呈しており、四隅は安全性を考慮して傾斜状に形成されている。また結束具本体２の材質は特に限定されるものではないが、例えば合成樹脂にて形成することが好ましい。合成樹脂にて形成することにより、低価格で量産することができるとともに、適宜強度が得られるため繰り返しの使用が可能となる。また、結束具本体２を紙製にて形成した場合、紐と一緒に廃棄することができる。
【００１９】  また前記結束具本体２には、複数の結束部１０が形成されている。図１の（ｂ）に示すように前記結束部１０は、結束具本体２の周囲に形成された挿入部１１と、挿入部１１に連設された挿通部１２と、挿通部１２の先端に形成された紐保持部１３とで構成されている。
【００２０】  挿入部１１は、結束具本体２の側面に略三角形状に形成されている。また挿入部１１の先方には、挿通部１２が連設されており、挿通部１２の先端には円形状の紐保持部１３が形成されている。また特に、前記挿通部１２は、紐保持部１３へ向かうにつれて先細のテーパー状に形成されている。そのことにより、挿入部１１からの紐の挿入が容易になるとともに、挿通部１２から紐保持部１３へ紐を摺動させることができ、さらに紐保持部１３にて紐を確実に保持することができる。
【００２１】  また前記結束部１０は、前記結束具本体２に少なくとも４箇所以上形成されている。そのことにより、図６に示すように、物品２０を紐３にて縦方向に確実に結束させることができる。
【００２２】  また、前記結束部１０には、結束する際の順位を示すナンバーＡが記載されている。本考案の梱包用結束具１を使用し、紐で物品を結束する際、このナンバーＡの順に紐を挿入することで、容易に、且つ確実に物品を結束することができる。
【００２３】  図１の（ａ）に示す結束具本体２において、ナンバー（１）には、結束部１０ａが形成されている。結束部１０ａは結束具本体２の一側面（図中左側面）に形成されており、挿入部１１ａと、挿入部１１ａに連設された挿通部１２ａと、挿通部１２ａの先端に形成された紐保持部１３ａとで構成されている。
【００２４】  ナンバー（２）には、結束部１０ｂが形成されている。結束部１０ｂは結束具本体２の他側面（図中右側面）に形成されており、挿入部１１ｂと、挿入部１１ｂに連設された挿通部１２ｂと、挿通部１２ｂの先端に形成された紐保持部１３ｂとで構成されている。
【００２５】  ナンバー（３）には、結束部１０ｃが形成されている。結束部１０ｃは結束具本体２の一側面（図中左側面）であり、結束部１０ａの上部に形成されており、挿入部１１ｃと、挿入部１１ｃに連設された挿通部１２ｃと、挿通部１２ｃの先端に形成された紐保持部１３ｃとで構成されている。
【００２６】  ナンバー（４）には、結束部１０ｄが形成されている。結束部１０ｄは結束具本体２の一側面（図中左側面）に形成されており、挿入部１１ｄと、挿入部１１ｄに連設された挿通部１２ｄと、挿通部１２ｄの先端に形成された紐保持部１３ｄとで構成されている。
【００２７】  また特に、前記結束部１０ｄにおいては、紐保持部１３ｄの径が他の紐保持部の径より大径に形成されている。紐保持部１３ｄの径を大径に形成することにより、図３に示すように、紐３を強く引くことにより、紐の締付力を高めることができる。
【００２８】  図１の（ａ）に示す結束具本体２において、ナンバー（１）〜（４）に結束部１０ａ，１０ｂ，１０ｃ，１０ｄの少なくとも４箇所の結束部を形成することにより、図６に示すように、物品２０を紐３にて縦方向に確実に結束させることができる。
【００２９】  さらに、ナンバー（５）には、結束部１０ｆが形成されている。結束部１０ｆは結束具本体２の他側面（図中右側面）に形成されており、挿入部１１ｆと、挿入部１１ｆに連設された挿通部１２ｆと、挿通部１２ｆの先端に形成された紐保持部１３ｆとで構成されている。
【００３０】  またさらに、ナンバー（６）には、結束部１０ｇが形成されている。結束部１０ｇは結束具本体２の他側面（図中左側面）に形成されており、挿入部１１ｇと、挿入部１１ｇに連設された挿通部１２ｇと、挿通部１２ｇの先端に形成された紐保持部１３ｇとで構成されている。
【００３１】  ナンバー（５）の結束部１０ｆおよびナンバー（６）の結束部１０ｇを形成することにより、図５に示すように、物品２０を縦方向とともに横方向に結束することができる。
【００３２】  また他の好適例として、前記結束具本体２の結束部１０が形成されていない側面に切込部４を施した。切込部４は、図中、結束具本体２の下部に形成されている。結束具本体２の下部に切込部４を形成することで、図４に示すように、縦方向の結束から横方向の結束を容易に実施することができる。
【００３３】  次に、本考案の梱包用結束具の結束工程を図２乃至図５に基づいて説明する。
先ず、図２に示す第一結束工程としては、結束具本体２のナンバー（１）の結束部１０ａの下方より紐３を挿入し、ナンバー（２）の結束部１０ｂの上部からナンバー（３）の結束部１０ｃの下方より上部へ引き出す。この際、紐３の端部３´を紐３の下部へ配置させるようにすることが好ましい。これにより、紐３の抜けを防止することができる。
【００３４】  次に、図３に示す第二結束工程としては、ナンバー（３）の結束部１０ｃより引き出された紐３を物品２０の上面から下面にかけて掛け渡し、ナンバー（４）の結束部１０ｄから挿入し、紐保持部１３ｄから引き抜く。この際、紐保持部１３ｄは大径に形成されているため、紐３は紐保持部１３ｄ内を容易に移動することができ、物品２０を紐３にて強固に結束することができる。この状態で、物品２０の縦方向の結束が実現できる。
【００３５】  次に、図４に示す第三結束工程としては、紐３をナンバー（４）の結束部ｄより切込部４を介してナンバー（５）の結束部ｆへ挿入する。結束部ｆより引き出された紐３を物品２０の上面から下面を通して巻き上げナンバー（６）の結束部ｇへ挿入する。
【００３６】  図５に示す第四結束工程としては、ナンバー（６）の結束部ｇへ挿入した後、紐３の先端をナンバー（５）の結束部ｆから引き出された紐３の下部に配置し引き戻すことにより、物品２０を十文字状態に結束することができる。
【００３７】  また他の好適例として、前記結束具本体２の結束部１０が形成されていない側面に切込部４を施した。切込部４は、図中、結束具本体２の下部に形成されている。結束具本体２の下部に切込部４を形成することで、図４に示すように、縦方向の結束より横方向の結束を容易に実施することができる。
【００３８】  上述の構造とすることで、本考案の梱包用結束具１は、物品２０を紐３で梱包する際、繰り返しの使用が可能で、縛り目を必要とせず、容易に、且つ確実に物品を結束することができる。
【符号の説明】
【００３９】１    梱包用結束具
２    結束具本体
３    紐
４    切込部
１０  結束部
１１  挿入部
１２  挿通部
１３  紐保持部
２０  物品
Ａ    ナンバー
【図１】
0003187015.tif 000003
【図２】
0003187015.tif 000004
【図３】
0003187015.tif 000005
【図４】
0003187015.tif 000006
【図５】
0003187015.tif 000007
【図６】
0003187015.tif 000008